【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
少なくとも１つのトランシーバの組のための伝送方式であって、各トランシーバの組が第一のトランシーバおよび第二のトランシーバを含み、各トランシーバが送信機および受信機を含み、前記少なくとも１つのトランシーバの組が、前記第一のトランシーバの送信機と前記第二のトランシーバの受信機との間のダウンリンクを規定し、さらに、前記第二のトランシーバの送信機と前記第一のトランシーバの受信機との間のアップリンクを規定し、各トランシーバの組がデータ伝送フレームを通じてデータを伝送し、前記伝送方式が、
前記少なくとも１つのトランシーバの組の各々についてのそれぞれのアクティブセットを決定することであって、前記アクティブセットが、選択された論理割当ユニットの組み合わせを含み、各前記論理割当ユニットがタイムスロットと周波数バンドとの固有の組み合わせとして規定され、各選択された論理割当ユニットが、前記ダウンリンクのみおよび前記アップリンクのうちの少なくとも１つに関することを含み、
前記アクティブセットが、電力散逸要件および温度要件のうちの少なくとも１つを満たすように決定され、
前記アクティブセットが、前記電力散逸要件および前記温度要件のうちの少なくとも１つを制御するように時間に応じて決定される、伝送方式。
【請求項２】
前記電力散逸要件が電力散逸閾値を含み、
前記温度要件が温度閾値を含む、請求項１に記載の伝送方式。
【請求項３】
前記論理割当ユニットの各々のタイムスロットと周波数バンドとの組み合わせが、電力散逸値に関連し、
前記アクティブセットのうちの少なくとも１つに含まれる論理割当ユニットのそれぞれの電力散逸値の累積量が、前記アップリンクおよび前記ダウンリンクのうちの少なくとも１つについての電力閾値を越えない、請求項１に記載の伝送方式。
【請求項４】
前記電力散逸要件および前記温度要件のうちの少なくとも１つが、前記トランシーバのうちの少なくとも１つに関する温度値に従い決定される、請求項１に記載の伝送方式。
【請求項５】
複数の前記トランシーバの組について、各々の前記それぞれのアクティブセットが、前記トランシーバの伝送間のクロストークを回避する方に方向づけられるように決定され、
各トランシーバの組が相互排他的なアクティブセットに関連する、請求項１に記載の伝送方式。
【請求項６】
前記トランシーバの組のうちの少なくとも２つが、少なくとも１つの共通の論理割当ユニットに割り当てられる、請求項１に記載の伝送方式。
【請求項７】
各々の選択された論理割当ユニットが、さらに、ダウンリンクおよびアップリンクに使用される、請求項１に記載の伝送方式。
【請求項８】
前記第一のトランシーバのうちの少なくとも１つの送信機がそれぞれの伝送中断時間においてその伝送を終了するように、前記アクティブセットが決定される、請求項１に記載の伝送方式。
【請求項９】
前記少なくとも１つのトランシーバの組の送信機の１つのグループが同じそれぞれの伝送中断時間に関連するように、前記アクティブセットが決定される、請求項１に記載の伝送方式。
【請求項１０】
与えられたフレームについて前記少なくとも１つのトランシーバの組のうちの少なくとも１つによって伝送されるアップリンクデータおよびダウンリンクデータのうちの少なくとも１つのデータ量が、相当に小さく、少なくともダウンリンクＬＡＵおよびアップリンクＬＡＵの各々が、前記トランシーバの組に割り当てられない、請求項１に記載の伝送方式。
【請求項１１】
通信システムであって、前記システムが、
分配点であって、
少なくとも１つの分配点トランシーバであって、前記少なくとも１つの分配点トランシーバの各々がそれぞれの分配点送信機およびそれぞれの分配点受信機を含み、前記分配点送信機がデータ通信フレームを通じてデータを伝送する、分配点トランシーバと、
複数の前記分配点トランシーバに連結された動的帯域幅アロケータであって、前記動的帯域幅アロケータが伝送方式を動的に決定する、動的帯域幅アロケータと、
前記少なくとも１つの分配点トランシーバの各々、および前記動的帯域幅アロケータに連結された分配点コントローラであって、前記分配点コントローラが、前記分配点トランシーバおよび前記動的帯域幅アロケータに、それらに関する外因性パラメータを提供し、前記外因性パラメータが各ユーザに定められた保証ビットレートを少なくとも含む、分配点コントローラと、
を少なくとも含む、分配点と、
少なくとも１つの加入者宅内機器であって、
加入者宅内機器トランシーバであって、前記加入者宅内機器トランシーバが加入者宅内機器送信機および加入者宅内機器受信機を含み、前記加入者宅内機器送信機が前記データ通信フレームを通じてデータを伝送する、加入者宅内機器トランシーバと、
前記加入者宅内機器トランシーバに連結された加入者宅内機器コントローラであって、前記加入者宅内機器が、前記加入者宅内機器トランシーバに、その動作に関する外因性パラメータを提供し、前記外因性パラメータがそれぞれの加入者宅内機器に関連する保証アップリンクデータ速度を少なくとも含む、加入者宅内機器コントローラと、
を少なくとも含む、加入者宅内機器と、を備えており、
前記分配点トランシーバの送信機、および前記加入者宅内機器トランシーバの受信機が、前記ダウンリンクを規定し、
前記加入者宅内機器トランシーバの送信機、および前記分配点トランシーバの受信機が、前記アップリンクを規定し、
前記伝送方式が、前記少なくとも１つのトランシーバの組の各々についてのそれぞれのアクティブセットを決定することを含み、前記アクティブセットが選択された論理割当ユニットの組み合わせを含み、各前記論理割当ユニットがタイムスロットと周波数バンドとの固有の組み合わせとして規定され、各々の選択された論理割当ユニットが、前記ダウンリンクのみおよび前記アップリンクのうちの少なくとも１つに使用され、
前記アクティブセットが、電力散逸要件および温度要件のうちの少なくとも１つを満たすように決定され、
前記アクティブセットが、前記電力散逸要件および前記温度要件のうちの少なくとも１つを制御するように時間に応じて決定される、通信システム。
【請求項１２】
前記電力散逸要件が電力散逸閾値を含み、
前記温度要件が温度閾値を含む、請求項１１に記載のシステム。
【請求項１３】
前記伝送方式が、タイム内の前記フレームを３つの相互排他的なタイムゾーンに区分することを含み、前記タイムゾーンが、ダウンリンクゾーン、それに続くダウンリンク／アップリンクゾーン、それに続くアップリンクゾーンを含み、
前記ダウンリンクゾーンが、前記第一のトランシーバの送信機によるダウンリンク伝送のためのゾーンであり、
前記アップリンクゾーンが、前記第二のトランシーバの送信機によるアップリンク伝送のためのゾーンであり、
前記ダウンリンク／アップリンクゾーンが、前記第一のトランシーバの送信機によるダウンリンク伝送、および前記第二のトランシーバの送信機によるアップリンク伝送のうちの少なくとも１つのためのゾーンである、請求項１１に記載のシステム。
【請求項１４】
少なくとも１つのトランシーバの組間の伝送方式を決定するための方法であって、各トランシーバの組が第一のトランシーバおよび第二のトランシーバを含み、各トランシーバが送信機および受信機を含み、前記少なくとも１つのトランシーバの組が、前記第一のトランシーバの送信機と前記第二のトランシーバの受信機との間のダウンリンクを規定し、さらに、前記第二のトランシーバの送信機と前記第一のトランシーバの受信機との間のアップリンクを規定し、各トランシーバの組がデータ通信フレームを通じてデータを伝送し、前記データ通信フレームがデータシンボルを伝送するための複数のタイムスロットを含み、前記方法が、
ダウンリンク伝送およびアップリンク伝送の両方のための組み合わされた有効帯域幅を決定する手順と、
ダウンリンク伝送される必要なデータ量を決定する手順と、
前記少なくとも１つの第二のトランシーバの各々からのアップリンク伝送リクエストを受信する手順と、
前記少なくとも１つの第二のトランシーバの各々についての帯域幅割当パラメータを決定する手順と、
以前に割り当てられたダウンリンク伝送およびアップリンク伝送の機会を検索する手順と、
少なくとも次の伝送フレームについて前記少なくとも１つの第一のトランシーバおよび前記少なくとも１つの第二のトランシーバによって使用される伝送方式を決定する手順であって、前記伝送方式が、前記少なくとも１つのトランシーバの組の各々についてのそれぞれのアクティブセットを決定することを含み、前記アクティブセットが、選択された論理割当ユニットの組み合わせを含み、各前記論理割当ユニットがタイムスロットと周波数バンドとの固有の組み合わせとして規定され、各々の選択された論理割当ユニットが、前記ダウンリンクのみおよび前記アップリンクのうちの少なくとも１つに使用される、手順と、を含み、
前記アクティブセットが、電力散逸要件および温度要件のうちの少なくとも１つを満たすように決定され、
前記アクティブセットが、前記電力散逸要件および前記温度要件のうちの少なくとも１つを制御するように時間に応じて決定される、方法。
【請求項１５】
前記電力散逸要件が電力散逸閾値を含み、
前記温度要件が温度閾値を含む、請求項１４に記載の方法。
【請求項１６】
前記伝送方式が、タイム内の前記フレームを３つの相互排他的なタイムゾーンに区分することを含み、前記タイムゾーンが、ダウンリンクゾーン、それに続くダウンリンク／アップリンクゾーン、それに続くアップリンクゾーンを含み、
前記ダウンリンクゾーンが、前記第一のトランシーバの送信機によるダウンリンク伝送のためのゾーンであり、
前記アップリンクゾーンが、前記第二のトランシーバの送信機によるアップリンク伝送のためのゾーンであり、
前記ダウンリンク／アップリンクゾーンが、前記第一のトランシーバの送信機によるダウンリンク伝送、および前記第二のトランシーバの送信機によるアップリンク伝送のうちの少なくとも１つのためのゾーンである、請求項１４に記載の方法。
【請求項１７】
少なくとも１つのトランシーバの組間の伝送方式であって、各トランシーバの組が第一のトランシーバおよび第二のトランシーバを含み、各トランシーバが送信機および受信機を含み、前記少なくとも１つのトランシーバの組が、第一のトランシーバの送信機と第二のトランシーバの受信機との間のダウンリンクを規定し、さらに、前記第二のトランシーバの送信機と前記第一のトランシーバの受信機との間のアップリンクを規定し、各トランシーバの組がデータ伝送フレームを通じてデータを伝送し、前記データ伝送フレームがデータシンボルを伝送するための複数のタイムスロットを含み、前記伝送方式が、
タイム内の前記フレームを３つの相互排他的なタイムゾーンに区分することであって、前記タイムゾーンが、ダウンリンクゾーン、それに続くダウンリンク／アップリンクゾーン、それに続くアップリンクゾーンを含むことを含み、
前記ダウンリンクゾーンが、前記第一のトランシーバの送信機によるダウンリンク伝送のためのゾーンであり、
前記アップリンクゾーンが、前記第二のトランシーバの送信機によるアップリンク伝送のためのゾーンであり、
前記ダウンリンク／アップリンクゾーンが、前記第一のトランシーバの送信機によるダウンリンク伝送、および前記第二のトランシーバの送信機によるアップリンク伝送のうちの少なくとも１つのためのゾーンである、伝送方式。
【請求項１８】
前記第二のトランシーバが、伝送前に前記第一のトランシーバのダウンリンク伝送の最後を検出する、請求項１７に記載の伝送方式。
【請求項１９】
前記第一のトランシーバが、前記第二のトランシーバに、前記ダウンリンク伝送の持続時間、および前記アップリンク伝送の持続時間のうちの少なくとも１つを伝送する、請求項１７に記載の伝送方式。